【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
複数の燃料電池、ここでそれぞれの燃料電池が、所定の長さと、その燃料電池の外面上で前記のそれぞれの燃料電池の長さに沿って間隔を設けた、それぞれの燃料電池の長さの一部によって分離された個別の位置の複数の個別電気接点を有する、及び
隣接する燃料電池の個別の位置の個別電気接点の間に直接作られた複数の電気接続、
を含むシステム。
【請求項２】
各燃料電池には、少なくともひとつの外側電極、及び、ひとつの内側電極への少なくともひとつの相互接続部が含まれ、ここで、その外側電極がカソードとアノードのうちの一方であり、かつ、内側電極がそのカソードとアノードのうちの他方であることを特徴とする請求項１に記載のシステム。
【請求項３】
さらに、隣接する燃料電池の電気接点に直接接続するように形成された少なくともひとつの集電体を含むことを特徴とする請求項１に記載のシステム。
【請求項４】
複数の電気接続部が、少なくともひとつの直列又は並列の電気接続を含むことを特徴とする請求項１に記載のシステム。
【請求項５】
内側のアノードを有する少なくともひとつの燃料電池の複数の相互接続部が、前記アノードに、及び、少なくともひとつの外側カソード、又は少なくともひとつの隣接する燃料電池のアノードの相互接続部に、電気的に接続されていることを特徴とする請求項２に記載のシステム。
【請求項６】
電気接続部のそれぞれが、電線、クリップ、溶接部、発泡材、セラミック又は金属の成形体の少なくともひとつを含むことを特徴とする請求項１に記載のシステム。
【請求項７】
燃料電池がアノード支持形であることを特徴とする請求項１に記載のシステム。
【請求項８】
少なくともひとつの燃料電池の少なくとも３個所の相互接続部が、少なくともひとつの隣接した燃料電池の少なくとも２個所の外側カソードに電気的に接続されていることを特徴とする請求項５に記載のシステム。
【請求項９】
燃料電池がアノード支持形であることを特徴とする請求項５に記載のシステム。
【請求項１０】
燃料電池が管状であることを特徴とする請求項１に記載のシステム。
【請求項１１】
各燃料電池が管状であり、前記の燃料電池のそれぞれが
カソード材料の層から形成された複数の外側カソード、ここで、各外側カソードが電解質層の領域を囲み、その電解質層の領域が内側領域を囲んでおり、
その電解質層の領域が、相互接続部がアノード層に接続する位置で不連続になる、
を含むことを特徴とする請求項５に記載のシステム。
【請求項１２】
各燃料電池上の少なくとも２個所の外側カソードがお互いに電気的に接続することを特徴とする請求項１１に記載のシステム。
【請求項１３】
各燃料電池のアノードの相互接続部が隣接する燃料電池の外側カソードに接続すること、及び
隣接する燃料電池上の相互接続部をずらして、１個の燃料電池の外側カソードが少なくともひとつの隣接する燃料電池のアノードの相互接続部に直接隣接すること、
を特徴とする請求項５に記載のシステム。
【請求項１４】
前記燃料電池のそれぞれが少なくとも３個所の相互接続部を有すること、ならびに、
前記システムが、第一次元内に少なくとも２本の管を、及び、第二次元内に少なくとも２本の管を含むバンドルとして配置された少なくとも１６本の燃料電池を含むこと、
を特徴とする請求項１１に記載のシステム。
【請求項１５】
それぞれが所定の長さを有する複数の燃料電池を、隣接する燃料電池の前記の長さに沿って配置され間隔を設けた、それぞれの燃料電池の前記の長さの一部によって分離された個別の位置の個別電気接点の間で直接に電気的接続部を作ることにより、電気的に相互接続すること
を含む燃料電池バンドルを製造する方法。
【請求項１６】
各燃料電池は、少なくともひとつの外側電極及び内側電極への少なくともひとつの相互接続部を含み、ここで、外側電極がカソードとアノードの一方であり、その外側電極がそのカソードとアノードの他方であることを特徴とする請求項１５に記載の方法。
【請求項１７】
さらに、隣接する燃料電池の電気接点を直接接続するように形成された少なくともひとつの集電体を用いて、隣接する燃料電池を電気的に相互接続することを含む請求項１５に記載の方法。
【請求項１８】
電気的に相互接続をするステップが、直列に、並列に又はその組合わせで隣接する燃料電池を電気的に接続するステップを含むことを特徴とする請求項１５に記載の方法。
【請求項１９】
さらに、内側アノードを有する少なくともひとつの燃料電池の複数の相互接続部を、前記アノードに、及び、外側カソードの少なくともひとつ、又は少なくともひとつの隣接する燃料電池のアノードの相互接続部に、電気的に接続することを含む請求項１６に記載の方法。
【請求項２０】
電気的相互接続ステップが、電線、クリップ、溶接部、発泡材、セラミック又は金属の成形体の少なくともひとつを用いた隣接する燃料電池の個別電気接点を電気的に相互接続するステップを含むことを特徴とする請求項１５に記載の方法。
【請求項２１】
さらに、それぞれのアノードにより、燃料電池を支持することから成る請求項１５に記載の方法。
【請求項２２】
さらに、少なくともひとつの燃料電池の少なくとも３個所の相互接続部のそれぞれを少なくともひとつの隣接する燃料電池の少なくとも２個所の外側カソードに電気的に接続することを含む請求項１９に記載の方法。
【請求項２３】
さらに、それぞれのアノードにより燃料電池を支持することから成る請求項１９に記載の方法。
【請求項２４】
燃料電池が管状であることを特徴とする請求項１５に記載の方法。
【請求項２５】
複数の燃料電池が複数の管状燃料電池を含み、電気的に相互接続するステップが、複数の管状燃料電池の電気的相互接続を含み、前記管状燃料電池がそれぞれカソード材料の層の複数の外側カソードを有し、各外側カソードが電解質の層を囲み、その電解質の層が内側アノードを囲み、ここで、アノードの層に接続するために、相互接続を行う位置で、前記電解質の層が不連続であることを特徴とする請求項１９に記載の方法。
【請求項２６】
さらに、各燃料電池上の少なくとも２個所の外側カソードをお互いに電気的に接続するステップを含む請求項２５に記載の方法。
【請求項２７】
さらに、各燃料電池のアノードの相互接続部を隣接する燃料電池の外側カソードに接続すること、及び、隣接する燃料電池上の相互接続部をずらして、ひとつの燃料電池の外側カソードが少なくともひとつの隣接する燃料電池のアノードの相互接続部に直接隣接するようにすること、を含む請求項１９に記載の方法。
【請求項２８】
電気的に相互接続するステップが、第一次元内で少なくとも２本の管、及び、第二次元内の少なくとも２本の管を含むバンドルとして配置された、電気的に相互接続した少なくとも１６本の管状燃料電池を電気的に相互接続し、ここで、前記燃料電池のそれぞれが少なくとも３個所の相互接続部を有していることを含む請求項２５に記載の方法。
【請求項２９】
複数の個別電気接点がそれぞれの複数の燃料電池の外側表面に位置する請求項１に記載のシステム。
【請求項３０】
電気的に相互接続をするステップが、それぞれが所定の長さを有する複数の燃料電池を、隣接する燃料電池の外側表面に前記の長さに沿って配置され間隔を設けた個別電気接点の間で直接に電気接続を作ることにより、電気的に相互接続するステップを含むことを特徴とする請求項１５に記載の方法。
【請求項３１】
それぞれの燃料電池が一対の電極と電極間に挟まれた電解質層を含み、それぞれの電気接続が、燃料電池の長さに沿った電解質中の不連続である部分に位置する一方の電極への電気的な相互接続を含む請求項１のシステム。
【請求項３２】
それぞれの燃料電池が一対の電極と電極間に挟まれた電解質層を含み、それぞれの電気接続が、電解質中の不連続である部分から延びる一方の電極への電気的な相互接続を含み、他方の電極のセグメントと電気的に連絡するブリッジ接点を含み、ブリッジ接点は相互接続から絶縁されている、請求項１のシステム。
【請求項３３】
それぞれの燃料電池が一対の電極と電極間に挟まれた電解質層を含み、それぞれの電気接続が、一の燃料電池のそれぞれの電極のセグメントと電気的に接続する一以上の電線であって、隣接する燃料電池のそれぞれの電極のセグメントの対応する電線と電気的に結合している電線を含む、請求項１のシステム。
【請求項３４】
それぞれの燃料電池が一対の電極と電極間に挟まれた電解質層を含み、それぞれの電気接続が、他の燃料電池における長さに沿った不連続である部分から延びる一方の電極への相互接続を含む請求項１のシステム。